(57)【特許請求の範囲】
【請求項１】
トロリ線（Ｔ）を挟持するトロリ線挟持部（１１，２１）を備えたトロリ線保持用治具（Ａ）と、カッター本体（Ｂ）とからなり、トロリ線保持用治具（Ａ）の両端部に、挟持したトロリ線（Ｔ）の長手方向と直交する方向にカッター本体（Ｂ）を案内するガイド（１４，２４）を備え、該ガイド（１４，２４）に沿ってカッター本体（Ｂ）を移動させることにより、挟持したトロリ線（Ｔ）の上方及び下方から、トロリ線（Ｔ）の長手方向と直交する方向に、それぞれ所定の深さの切断溝（Ｍ１，Ｍ２）を形成するようにしたことを特徴とする検知線入りトロリ線の切断装置。
【請求項２】
トロリ線挟持部（１１，２１）を、所定の間隔をあけてトロリ線（Ｔ）の長手方向の２個所でトロリ線（Ｔ）を挟持するように構成したことを特徴とする請求項１記載の検知線入りトロリ線の切断装置。
【発明の詳細な説明】
【０００１】
【発明の属する技術分野】
本発明は、検知線入りトロリ線の切断装置に関し、特に、検知線を切断することなくトロリ線のみを容易に切断することができる検知線入りトロリ線の切断装置に関するものである。
【０００２】
【従来の技術】
電車に給電を行うトロリ線は、パンタグラフが摺接することにより機械的に、また、スパークにより電気的に摩耗するため、定期的に交換する必要がある。
【０００３】
このトロリ線を交換する時期、すなわち、摩耗の許容限度を自動的に検知する方法として、トロリ線に絶縁被覆を施した導線からなる検知線を挿入しておき、許容限度以上にトロリ線が摩耗したとき、検知線の絶縁被覆が破れて導線がパンタグラフ等を介して短絡するため、これを検知機器により検知する方法が採用されている。
【０００４】
【発明が解決しようとする課題】
ところで、トロリ線は、トロリ線を所定の長さに切断して、引留装置を介して張架するようにしているが、上記の検知線入りトロリ線の場合、トロリ線を引留装置にて張架する際、トロリ線に挿入した検知線をトロリ線の切断端部より所要長だけ露出させ、検知機器と接続する必要がある。
しかしながら、トロリ線の切断作業は、通常、現場において作業者が汎用のカッターや金鋸を用いて行うようにしているため、検知線入りトロリ線を切断する際、誤ってトロリ線と共に検知線を切断してしまうことが多く、トロリ線が所定の長さより短くなり使用できなくなるだけでなく、トロリ線の切断作業を行う作業者に精神的な負担がかかるという問題があった。
【０００５】
本発明は、検知線入りトロリ線の切断作業に伴う問題点に鑑み、検知線を切断することなくトロリ線のみを容易に切断することができる検知線入りトロリ線の切断装置を提供することを目的とする。
【０００６】
【課題を解決するための手段】
上記目的を達成するため、本発明の検知線入りトロリ線の切断装置は、トロリ線を挟持するトロリ線挟持部を備えたトロリ線保持用治具と、カッター本体とからなり、トロリ線保持用治具の両端部に、挟持したトロリ線の長手方向と直交する方向にカッター本体を案内するガイドを備え、該ガイドに沿ってカッター本体を移動させることにより、挟持したトロリ線の上方及び下方から、トロリ線の長手方向と直交する方向に、それぞれ所定の深さの切断溝を形成するようにしたことを特徴とする。
【０００７】
この検知線入りトロリ線の切断装置は、トロリ線保持用治具の両端部に形成したトロリ線の長手方向と直交する方向にカッター本体を案内するガイドに沿ってカッター本体を移動させることにより、トロリ線保持用治具のトロリ線挟持部に挟持したトロリ線の上方及び下方から、トロリ線の長手方向と直交する方向に、それぞれ所定の深さ、より具体的には、検知線に達しない深さの切断溝を形成することにより、検知線を残してトロリ線を確実に切断して、検知線を露出させることができる。
【０００８】
この場合において、トロリ線挟持部を、所定の間隔をあけてトロリ線の長手方向の２個所でトロリ線を挟持するように構成することができる。
【０００９】
これにより、通常湾曲しているトロリ線を、小形のトロリ線保持用治具で以て確実に保持することができる。
【００１０】
【発明の実施の形態】
以下、本発明の検知線入りトロリ線の切断装置の実施の形態を図面に基づいて説明する。
【００１１】
この検知線入りトロリ線の切断装置は、２分割してトロリ線Ｔの両側からあてがい、かつトロリ線Ｔを挟持して固定するようにしたトロリ線保持用治具Ａと、このトロリ線保持用治具Ａにより案内されて、トロリ線Ｔの上方及び下方から、トロリ線Ｔの長手方向と直交する方向に、それぞれ所定の深さの切断溝Ｍ１，Ｍ２を形成するようにした電動式のカッター本体Ｂとより構成される。
【００１２】
トロリ線保持用治具Ａは、図１〜図３に示すように、左右（図２参照）に２分割した治具本体１，２からなり、それぞれの治具本体１，２には、外側にハンドル１Ｈ，２Ｈを、内側にトロリ線Ｔの外形に応じて形成したトロリ線挟持部１１，２１を形成するようにする。
この場合において、トロリ線挟持部１１，２１は、治具本体１，２の内部に空間部１１ｍ，２１ｍを形成することにより、所定の間隔をあけてトロリ線Ｔの長手方向の２個所でトロリ線Ｔを挟持するように構成し、これにより、通常巻かれて湾曲しているトロリ線Ｔを、そのまま、小形のトロリ線保持用治具Ａで以て大きな力をかけずに、確実に保持することができるようにする。
【００１３】
また、一方の治具本体１には、ガイド孔１２，１２及びねじ孔１３を形成し、他方の治具本体２には、これらと対向する位置に、ガイドロッド２２，２２及び治具本体２の外側の位置にノブ２３ｃを形成したねじ杆２３を配設し、ガイド孔１２，１２にガイドロッド２２，２２を挿通し、ねじ孔１３にねじ杆２３を螺合することにより、両治具本体１，２を、トロリ線Ｔを間に挟んで、接離可能に構成するようにする。
そして、両治具本体１，２を離間させたとき、両治具本体１，２間にトロリ線Ｔの直径よりも大きな間隙が形成され、この間隙から両治具本体１，２間にトロリ線Ｔを挿入できるように、ガイドロッド２２，２２及びねじ杆２３の長さを設定するようにする。
また、ガイドロッド２２，２２及びねじ杆２３の先端には、それぞれ環状の溝２２ａ，２２ａ，２３ａを形成し、両治具本体１，２を組み立てた後、抜止輪２２ｂ，２２ｂ，２３ｂを嵌入して、両治具本体１，２が分離しないようにする。
【００１４】
また、両治具本体１，２の上下の外側端縁（図１参照）に、トロリ線挟持部１１，２１により挟持したトロリ線Ｔの長手方向と直交する方向に、カッター本体Ｂを案内するレール形状のガイド１４，２４を配設し、このガイド１４及びガイド２４に沿ってカッター本体Ｂを移動させることができるようにする。
本実施例においては、ガイド１４を一方の治具本体１の上端縁の両側に、ガイド２４を他方の治具本体２の下端縁の両側に、それぞれ形成するようにしたが、ガイド１４，２４の治具本体１，２への取付形態は、本実施例の形態に限定されるものではなく、例えば、ガイド１４，２４の両方をいずれかの治具本体に設けるようにしたり、ガイド１４，２４を本実施例とは上下を逆にして設けるようにする等、任意の取付形態を採用することができる。
この場合において、ガイド１４，２４の取付位置を、その上下方向に調節して、形成する切断溝Ｍ１，Ｍ２の深さを変更することができるように、例えば、ガイド１４，２４に形成する固定用ボルト１４ａ，２４ａのボルト孔を上下方向に長い長孔に形成することが好ましい。
そして、両治具本体１，２を接近させ、トロリ線挟持部１１，２１にトロリ線Ｔを挟持したとき、ガイド１４，２４が他方の治具本体に沿って位置するように、ガイド１４，２４の突出長さを設定するようにする。
なお、ガイド１４，２４は、本実施例に示すようなレール形状のほか、溝形状に形成することもできる。
【００１５】
カッター本体Ｂは、商用電源、充電池等を電源として用い、モータにて所要の回転数で駆動される円盤状の切断刃３１を備えるとともに、ケーシング３２には、トロリ線保持用治具Ａのガイド１４又はガイド２４に嵌合し、これに沿ってカッター本体Ｂを案内する、切断刃３１と平行な溝部を有するホルダー３３，３３を突設するようにする。
このカッター本体Ｂは、汎用製品にホルダー３３，３３を取り付けることにより構成することができる。
【００１６】
次に、この検知線入りトロリ線の切断装置の使用方法及び作用について説明する。
ねじ杆２３を回動して両治具本体１，２を離間させ、その間隙から両治具本体１，２間にトロリ線Ｔを挿入した後、ねじ杆２３を回動して両治具本体１，２を接近させ、トロリ線挟持部１１，２１にトロリ線Ｔを挟持、固定する。
このとき、トロリ線挟持部１１，２１は、治具本体１，２の内部に空間部１１ｍ，２１ｍが形成されているので、所定の間隔をあけてトロリ線Ｔの長手方向の２個所でトロリ線Ｔを挟持することができ、これにより、通常巻かれて湾曲しているトロリ線Ｔを、そのまま、大きな力をかけずに、確実に保持することができる。
【００１７】
このトロリ線保持用治具Ａの一方のガイド、例えば、ガイド１４の側方よりカッター本体Ｂのホルダー３３を嵌合する。
そして、カッター本体Ｂのモータを駆動して、切断刃３１を回転させながら、ガイド１４に沿ってカッター本体Ｂを移動させることにより、図４に示すように、挟持したトロリ線Ｔの上方から、トロリ線Ｔの長手方向と直交する方向に、ガイド１４にて規定される所定の深さの切断溝Ｍ１を形成する。
このとき、トロリ線Ｔの補強線Ｔ１も併せて切断するようにするが、検知線Ｓは、絶縁被覆を含めて傷つけないようにする。
【００１８】
次に、カッター本体Ｂのモータを停止し、カッター本体Ｂをトロリ線保持用治具Ａのガイド１４より外し、他方のガイド２４の側方よりカッター本体Ｂのホルダー３３を嵌合する。
そして、カッター本体Ｂのモータを駆動して、切断刃３１を回転させながら、ガイド２４に沿ってカッター本体Ｂを移動させることにより、図４に示すように、挟持したトロリ線Ｔの下方から、トロリ線Ｔの長手方向と直交する方向に、ガイド２４にて規定される所定の深さの切断溝Ｍ２を形成する。
このとき、検知線Ｓは、絶縁被覆を含めて傷つけないようにする。
【００１９】
このように検知線Ｓが位置する僅かな未切断部Ｍ３を残してトロリ線Ｔの上下両側を切断した後、カッター本体Ｂのモータを停止し、カッター本体Ｂをトロリ線保持用治具Ａのガイド２４より外すようにする。
【００２０】
そして、トロリ線Ｔの切断溝Ｍ１，Ｍ２を形成した部分を数回屈曲することにより、トロリ線Ｔの末切断部Ｍ３を検知線Ｓを残して切断することができる。
その後、ねじ杆２３を回動して両治具本体１，２を離間させ、トロリ線Ｔを取り出してトロリ線の切断作業を完了する。
【００２１】
【発明の効果】
本発明の検知線入りトロリ線の切断装置によれば、トロリ線保持用治具の両端部に形成したトロリ線の長手方向と直交する方向にカッター本体を案内するガイドに沿ってカッター本体を移動させることにより、トロリ線保持用治具のトロリ線挟持部に挟持したトロリ線の上方及び下方から、トロリ線の長手方向と直交する方向に、それぞれ所定の深さ、より具体的には、検知線に達しない深さの切断溝を形成することにより、検知線を残してトロリ線を確実に切断して、検知線を露出させることができる。
これにより、検知線入りトロリ線を切断する際、誤ってトロリ線と共に検知線を切断してしまう事故をなくすことができ、トロリ線の無駄をなくすことができるだけでなく、トロリ線の切断作業を行う作業者の精神的な負担を軽減することができる。
【００２２】
また、トロリ線挟持部を、所定の間隔をあけてトロリ線の長手方向の２個所でトロリ線を挟持するように構成することにより、通常湾曲しているトロリ線を、小形のトロリ線保持用治具で以て確実に保持することができる。
【図面の簡単な説明】
【図１】本発明の検知線入りトロリ線の切断装置の一実施例を示す側面図である。
【図２】トロリ線保持用治具の正面図で、（Ａ）はトロリ線の未挟持の状態を、（Ｂ）はトロリ線を挟持した状態を、それぞれ示す。
【図３】同分解した斜視図である。
【図４】トロリ線の切断状態を示す説明図である。
【符号の説明】
Ａ    トロリ線保持用治具
Ｂ    カッター本体
Ｔ    トロリ線
Ｍ１  切断溝
Ｍ２  切断溝
Ｍ３  未切断部
１    治具本体
１１  トロリ線挟持部
１４  ガイド
２    治具本体
２１  トロリ線挟持部
２４  ガイド
２３  ねじ杆
３１  切断刃
３３  ホルダー
【図１】
0003950209.tif 000002
【図２】
0003950209.tif 000003
【図３】
0003950209.tif 000004
【図４】
0003950209.tif 000005